(57)【特許請求の範囲】
【請求項１】
茶釜及び熱源を収容しうる箱状の本体と、この本体とは離間可能でありかつこの本体が載置されうる台部とを備えており、
上記本体が、その上にこの本体より外側に張り出した炉縁を載置しうる鍔部と、この鍔部がその上に接合されかつ上記箱状を形成する側板とを有しており、
上記鍔部が上記側板より外側に張り出している、茶道用の置炉と風炉との兼用炉。
【請求項２】
上記本体が、上記鍔部の上に配置されたストッパーをさらに備えており、
上記鍔部に上記炉縁が載置されたとき、この炉縁が上記ストッパーに当接することで、上記炉縁の移動が規制されうるように構成された請求項１に記載の兼用炉。
【請求項３】
上記台部の高さが２ｃｍ以上１５ｃｍ以下である請求項１又は２に記載の兼用炉。
【請求項４】
上記台部が、その上面又は下面に、ゴム又は軟質樹脂からなる滑り止めを有する請求項１から３のいずれかに記載の兼用炉。
【発明の詳細な説明】
【技術分野】
【０００１】
本発明は、茶釜を加熱するために用いられる茶道用の炉に関する。
【背景技術】
【０００２】
正式な茶室は、本炉を有している。本炉は、床を掘り下げて形成される。本炉の周縁には、炉縁が置かれる。
【０００３】
本炉の作成には、手間と費用とがかかる。さらに、本炉を用いた茶道では、点前の場所が限定される。
【０００４】
茶道において、置炉が用いられることがある。置炉は、本炉に代えて用いられる。置炉は、箱状である。置炉は、畳の上に置いて用いられる。置炉の上には、炉縁が置かれる。炉縁が用いられることで、置炉が本炉に近い趣を呈する。置炉の中には、茶釜と、熱源である炭が収容される。置炉は、本炉に比べて費用がかからない。置炉は、持ち運びされうる。置炉の一例が、特開平７−２２７３５６号公報に開示されている。
【０００５】
夏場の茶道では、気温及び水温が高いので、冬場の茶道に比べて湯が温まりやすい。夏場の茶道には、炭は多くは必要ない。夏場の茶道では、置炉に代えて風炉が用いられている。風炉の一例が、特開２０１０−５４１５０公報に開示されている。
【０００６】
近年の茶道では、湯を温める熱源として、炭ではなく、電気器具が用いられている。具体的には、電熱器や誘導加熱器（ＩＨヒーター）が用いられている。電気器具を熱源とした場合、熱量の制御は容易である。電気器具を熱源とした茶道では、もはや置炉と風炉とを使い分ける必要は無い。
【０００７】
しかし茶道では、今でも、冬場に本炉又は置炉を使い、夏場に風炉を使う風習が残っている。この使い分けは、茶道の風情の１つである。
【先行技術文献】
【特許文献】
【０００８】
【特許文献１】特開平７−２２７３５６号公報
【特許文献２】特開２０１０−５４１５０公報
【発明の概要】
【発明が解決しようとする課題】
【０００９】
置炉と風炉との両方を所有することは、茶人にとって負担である。置炉と風炉との両方を所有すると、広い収納スペースが必要である。
【００１０】
本発明の目的は、置炉の機能と風炉の機能とを兼ね備えた兼用炉の提供にある。
【課題を解決するための手段】
【００１１】
本発明に係る茶道用の兼用炉は、茶釜及び熱源を収容しうる箱状の本体と、この本体とは離間可能でありかつこの本体が載置されうる台部とを備える。この本体は、その上に炉縁を載置しうる鍔部を有する。
【００１２】
好ましくは、本体は、鍔部の上に配置されたストッパーをさらに備える。鍔部に炉縁が載置されたとき、この炉縁がストッパーに当接することで、炉縁の移動が規制されうる。
【００１３】
好ましくは、台部の高さは、２ｃｍ以上１５ｃｍ以下である。好ましくは、台部は、その上面又は下面に、ゴム又は軟質樹脂からなる滑り止めを有する。
【発明の効果】
【００１４】
本発明に係る茶道用の兼用炉は、本体に炉縁が載せられたときは、置炉として用いられ得る。この兼用炉はさらに、台部の上に本体が載せられたときは、風炉として用いられ得る。この兼用炉は、置炉の機能と風炉の機能とを併せ持つ。
【図面の簡単な説明】
【００１５】
【図１】図１は、本発明の一実施形態に係る茶道用の兼用炉が示された分解斜視図である。
【図２】図２は、図１の兼用炉が示された断面図である。
【図３】図３は、図１の兼用炉の脚が示された拡大断面図である。
【図４】図４は、図１の兼用炉と共に用いられる敷板が示された斜視図である。
【図５】図５は、図１の兼用炉と共に用いられるカバーが示された斜視図である。
【図６】図６は、図１の兼用炉が敷板、カバー、誘導加熱器及び茶釜と共に示された断面図である。
【図７】図７は、図１の兼用炉と共に用いられる炉縁が示された斜視図である。
【図８】図８は、図１の兼用炉がカバー、炉縁、誘導加熱器及び茶釜と共に示された断面図である。
【図９】図９は、本発明の他の実施形態に係る茶道用の兼用炉が示された分解斜視図である。
【図１０】図１０は、本発明のさらに他の実施形態に係る茶道用の兼用炉が示された分解斜視図である。
【発明を実施するための形態】
【００１６】
以下、適宜図面が参照されつつ、好ましい実施形態に基づいて本発明が詳細に説明される。
【００１７】
図１及び２に示された兼用炉２は、茶道用である。この兼用炉２は、本体４と台部６とを備えている。図１から明らかなように、本体４は箱状であり、上方に開口している。図１における矢印の方向に本体４が移動することで、この本体４が台部６の上に置かれる。図２には、本体４が台部６の上に置かれた状態が示されている。
【００１８】
本体４は、木製である。本体４が木以外の材質からなってもよい。本体４は、基板８、一対の側板１０、鍔部１２及びストッパー１４を備えている。本体４が、ストッパー１４を備えなくてもよい。
【００１９】
基板８の平面形状は、矩形である。基板８は、その厚み方向が鉛直方向となるように、配置される。
【００２０】
それぞれの側板１０は、基板８に接合されている。接合は、接着剤によって達成されている。接合が、釘、ネジ等で達成されてもよい。一方の側板１０は、基板８の矩形の一辺に沿っている。この辺と対抗する辺に沿って、他方の側板１０が延在している。２つの側板１０の間には、スペースが形成されている。
【００２１】
平面視において、鍔部１２の外形は矩形であり、鍔部１２の内形も矩形である。鍔部１２は側板１０の上に置かれており、この側板１０に接合されている。接合は、接着剤によって達成されている。接合が、釘、ネジ等で達成されてもよい。図２から明らかなように、鍔部１２の内面は側板１０の内面とほぼ面一である。一方、鍔部１２の外面は、側板１０の外面よりも外側に張り出している。鍔部１２の上面は、幅広である。
【００２２】
ストッパー１４は、突条である。ストッパー１４は、鍔部１２の上面に接合されている。接合は、接着剤によって達成されている。接合が、釘、ネジ等で達成されてもよい。
【００２３】
台部６は、本体４とは離間可能である。台部６は、一対の脚１６からなる。一方の脚１６は、他方の脚１６とは離間している。図３には、拡大された脚１６の断面が示されている。脚１６は、主部１８と滑り止め２０とを有している。この主部１８の形状は、概ね四角柱である。但し、主部１８の各コーナーは、丸められている。主部１８の材質は、木である。主部１８が木以外の材質からなってもよい。滑り止め２０の形状は、シート状である。滑り止め２０の材質は、ゴム又は軟質樹脂である。滑り止め２０は、接着剤によって主部１８の下面に接合されている。脚１６が、主部１８と、この主部１８の上面に接合された滑り止め２０とを有してもよい。脚１６が、主部１８と、この主部１８の下面に接合された滑り止め２０と、この主部１８の上面に接合された滑り止め２０とを有してもよい。図３において矢印Ｈで示されているのは、台部６の高さである。
【００２４】
図４には、図１の兼用炉２に用いられる敷板２２が示されている。敷板２２は、概して板状である。平面視において、敷板２２の外形は矩形である。敷板２２は、木製である。敷板２２が、木以外の材質からなってもよい。この敷板２２は、従来の風炉にも用いられる。風炉を持つ茶人は、通常は、敷板２２も所有している。汎用的な敷板２２が、本発明に係る兼用炉２にも用いられ得る。
【００２５】
図５には、図１の兼用炉２に用いられるカバー２４が示されている。カバー２４は概して板状であり、かつ中心に穴２６を有している。平面視において、カバー２４の外形は矩形であり、カバー２４の内形（つまり穴２６の形状）は円形である。カバー２４の材質として、木材、合成樹脂等が挙げられる。
【００２６】
図６には、兼用炉２の使用状態の一例が示されている。図６には、兼用炉２以外に、敷板２２、カバー２４、誘導加熱器２８（ＩＨヒーター）及び茶釜３０が示されている。敷板２２は、例えば畳の上に置かれる。この敷板２２の上に、台部６（すなわち一対の脚１６）が置かれている。脚１６は滑り止め２０を有するので、脚１６と敷板２２との摩擦係数は大きい。脚１６は、敷板２２に対してスリップしにくい。敷板２２が用いられず、台部６が畳等の上に直接に置かれてもよい。台部６の上に、本体４が置かれている。誘導加熱器２８は、本体４に収容されている。誘導加熱器２８は、一対の側板１０の間のスペースに配置されている。誘導加熱器２８は、基板８の上に置かれている。茶釜３０は、誘導加熱器２８の上に置かれている。茶釜３０の一部は本体４に収容されており、一部は本体４の開口よりも上方に突出している。カバー２４は、鍔部１２の上に置かれている。カバー２４の穴２６には、茶釜３０が貫通している。穴２６の内径は、茶釜３０の外径よりも大きい。カバー２４により、誘導加熱器２８の視認が阻止される。つまりカバー２４は、誘導加熱器２８のための目隠しである。カバー２４が用いられなくてもよい。茶釜３０のサイズに応じ、穴２６の内径の異なる複数のカバー２４が用意されてもよい。誘導加熱器２８に代えて、他の加熱器２８具が用いられてもよい。他の加熱器２８具の一例として、電熱器が挙げられる。
【００２７】
図６から明らかなように、本体４は台部６の上に置かれている。従って、台部６の高さの分だけ、本体４は上方に位置する。これに応じ、茶釜３０も上方に位置する。この兼用炉２の外観及び茶釜３０の位置から醸し出される趣は、風炉（特に板風炉）の趣と共通する。この兼用炉２は、風炉として用いられ得る。風炉としての使用に適するとの観点から、台部６の高さは２ｃｍ以上１５ｃｍ以下が好ましく、３ｃｍ以上１０ｃｍ以下が特に好ましい。
【００２８】
図７には、図１の兼用炉２に用いられる炉縁３２が示されている。炉縁３２は、概して枠状である。平面視において、炉縁３２の外形は矩形であり、炉縁３２の内形も矩形である。この炉縁３２は、本炉にも用いられる。茶室を持つ茶人は、通常は、炉縁３２も所有している。汎用的な炉縁３２が、本発明に係る兼用炉２にも用いられ得る。
【００２９】
図８には、兼用炉２の使用状態の他の例が示されている。図８には、兼用炉２以外にカバー２４、炉縁３２、誘導加熱器２８及び茶釜３４が示されている。図８に示された状態では、台部６は使用されない。本体４は、例えば畳の上に置かれる。誘導加熱器２８は、本体４に収容されている。誘導加熱器２８は、一対の側板１０の間のスペースに配置されている。誘導加熱器２８は、基板８の上に置かれている。茶釜３４は、誘導加熱器２８の上に置かれている。茶釜３４の一部は本体４に収容されており、一部は本体４の開口よりも上方に突出している。炉縁３２は、鍔部１２の上に置かれている。カバー２４は、鍔部１２の上に置かれている。カバー２４の穴２６には、茶釜３４が貫通している。穴２６の内径は、茶釜３４の外径よりも大きい。カバー２４により、誘導加熱器２８の視認が阻止される。つまりカバー２４は、誘導加熱器２８のための目隠しである。カバー２４が用いられなくてもよい。茶釜３４のサイズに応じ、穴２６の内径の異なるカバー２４が用意されてもよい。
【００３０】
前述の通り、本体４は畳等の上に直接に置かれる。従って、本体４の位置は、低い。一方、本体４の上には、炉縁３２が置かれている。この炉縁３２と本体４との組み合わせにより、重厚な趣が醸し出される。この趣は、置炉の趣と共通する。この兼用炉２は、置炉として用いられ得る。
【００３１】
図８に示されるように、炉縁３２の内面はストッパー１４の外面と当接している。この当接により、鍔部１２に対する炉縁３２のスライドが阻止されている。この兼用炉２では、炉縁３２の落下が生じにくい。
【００３２】
図９は、本発明の他の実施形態に係る茶道用の兼用炉３６が示された分解斜視図である。この兼用炉３６は、本体４と台部３８とを備えている。本体４の構造は、図１に示された本体４の構造と同様である。台部３８は、一対の脚４０と、連結棒４２とを備えている。それぞれの脚４０の形状は、概ね四角柱である。連結棒４２の一端は一方の脚４０に接合されており、連結棒４２の他端は他方の脚４０に接合されている。連結棒４２により、一対の脚４０が一体化されている。
【００３３】
この兼用炉３６は、本体４が台部３８の上に置かれたとき、風炉として用いられ得る。この兼用炉３６は、台部３８が用いられないとき、置炉として用いられ得る。この兼用炉３６でも、台部３８の高さは２ｃｍ以上１５ｃｍ以下が好ましく、３ｃｍ以上１０ｃｍ以下が特に好ましい。この台部３８が、滑り止め２０を有することが好ましい。
【００３４】
図１０は、本発明のさらに他の実施形態に係る茶道用の兼用炉４４が示された分解斜視図である。この兼用炉４４は、本体４と台部４６とを備えている。本体４の構造は、図１に示された本体４の構造と同様である。台部４６は、天部４８と４つの脚５０とを備えている。天部４８は格子状である。天部４８が、簀の子状であってもよい。天部４８が平板状であってもよい。天部４８が枠状であってもよい。それぞれの脚５０は、天部４８から下方に向けて下りている。脚５０は、天部４８に接合されている。
【００３５】
この兼用炉４４は、本体４が台部４６の上に置かれたとき、風炉として用いられ得る。この兼用炉４４は、台部４６が用いられないとき、置炉として用いられ得る。台部４６の高さは２ｃｍ以上１５ｃｍ以下が好ましく、３ｃｍ以上１０ｃｍ以下が特に好ましい。
【００３６】
図１−１０に示されたものの他、様々な形状及び構造を有する台部が、兼用炉に採用されうる。
【産業上の利用可能性】
【００３７】
本発明に係る兼用炉は、様々な茶会の場で用いられ得る。
【符号の説明】
【００３８】
２、３６、４４・・・兼用炉
４・・・本体
６、３８、４６・・・台部
１２・・・鍔部
１４・・・ストッパー
１６、４０、５０・・・脚
１８・・・主部
２０・・・滑り止め
２２・・・敷板
２４・・・カバー
３２・・・炉縁
４２・・・連結棒
４８・・・天部
【図１】
0006391332.tif 000002
【図２】
0006391332.tif 000003
【図３】
0006391332.tif 000004
【図４】
0006391332.tif 000005
【図５】
0006391332.tif 000006
【図６】
0006391332.tif 000007
【図７】
0006391332.tif 000008
【図８】
0006391332.tif 000009
【図９】
0006391332.tif 000010
【図１０】
0006391332.tif 000011